(57)【特許請求の範囲】
【請求項１】
内リンクと外リンクとを連結して成るローラーチェーンにおける端部継合用のチェーンクリップを脱着するためのチェーンクリッププライヤーであって、先端側に挟持部、基端側に握持部を有する一対の半体同士を交叉枢着して構成され、一方の前記挟持部の内面は他方の前記挟持部の内面に比し巾広に設定されており、巾広の前記挟持部の内面には、左右側面に開口する凹条部が設けられ、また、巾狭の前記挟持部の内面にも、左右側面に開口する凹条部が設けられており、巾広の前記挟持部の両側面には隣接するピンとの干渉を防止する干渉防止凹部が設けられていることを特徴とするチェーンクリッププライヤー。
【請求項２】
請求項１記載のチェーンクリッププライヤーにおいて、前記干渉防止凹部は挟持面側の縁部のみを残して前記挟持部の両側面の肉を除去した構成であることを特徴とするチェーンクリッププライヤー。
【請求項３】
請求項１，２いずれか１項に記載のチェーンクリッププライヤーにおいて、巾広の挟持部の内面の前記凹条部は、側面視Ｕ字状であり、巾狭の挟持部の内面の前記凹条部は、側面視Ｖ字状であることを特徴とするチェーンクリッププライヤー。
【請求項４】
請求項１〜３いずれか１項に記載のチェーンクリッププライヤーにおいて、前記巾広の挟持部の先端は、前記巾狭の挟持部の先端より突出して構成され、更に、前記巾広の挟持部の内面には、先端面に開口する凹条部が前記左右側面に開口する凹条部に分断されて２本設けられ、また、前記巾狭の挟持部の内面にも、先端面に開口する凹条部が前記左右側面に開口する凹条部に分断されて２本設けられていることを特徴とするチェーンクリッププライヤー。
【請求項５】
請求項４記載のチェーンクリッププライヤーにおいて、前記巾広の挟持部の分断された２本の前記凹条部はともに先端面視Ｕ字状であり、前記巾狭の挟持部の分断された２本の前記凹条部はともに先端面視Ｖ字状であることを特徴とするチェーンクリッププライヤー。
【発明の詳細な説明】
【技術分野】
【０００１】
本発明は、チェーンクリッププライヤーに関するものである。
【背景技術】
【０００２】
一般にスプロケットとともに動力伝達構造を構成するローラーチェーン31は、図１〜３に図示したように内リンク32と外リンク33とで構成されており、この内リンク32は、左右の貫通孔32ａ'を有する一対の内プレート32ａと、この一対の内プレート32ａの対向する貫通孔32ａ'同士間に架設される一対のブシュ32ｂと、この各ブシュ32ｂに回動自在に被嵌されるローラー32ｃとで構成され、一方、外リンク33は、左右の貫通孔33ａ'を有する一対の外プレート33ａと、この一対の外プレート33ａの対向する貫通孔33ａ'同士間に架設されるピン33ｂとで構成されている。符号33ｂ'は後述するチェーンクリップ34の凹部34ａ'を被嵌係止する係止溝である。
【０００３】
この内リンク32と外リンク33とは交互に連結される。具体的には、左右に配した内リンク32の対向するブシュ32ｂ夫々に外プレート33ａのピン33ｂを挿入し、続いて、ピン33ｂの先端部を他の外プレート33ａの外面に突出させ、カシめて抜け止め状態に連結し、同様に外リンク33を介して内リンク32同士を連結する作業を順次行って一本の長尺体を形成し、この一本の長尺体を環状にして左右両端部に位置する内リンク32同士を連結する場合、外プレート33ａの外面に突出させたピン33ｂの先端部同士間にチェーンクリップ34を架設して長尺体を閉じて環体とする。
【０００４】
このチェーンクリップ34は、一端部が開口するＣ字状であり、開口端側の内面及び内孔34ａの基端側にはピン33ｂの係止溝33ｂ'に被嵌係止する凹部34ａ'が形成されており、Ｃ字状であるが故の弾性に抗してピン33ｂの開口端側（先端部）を開閉動させることでピン33ｂの先端同士間に脱着自在となる。
【０００５】
従って、ローラーチェーン31は、スプロケットから外す場合（巻回状態を解除する場合）には、ピン33ｂからチェーンクリップ34を外すことになる。
【０００６】
ところで、従来、このピン33ｂに対するチェーンクリップ34の脱着はペンチを利用して行われるのが一般的であり、ピン33ｂにチェーンクリップ34を装着する場合は、一方の挟持部をチェーンクリップ34の基端に当接し、他方の挟持部をチェーンクリップ34の基端側の凹部34ａ'に挿入するピン33ｂに当接し、この状態で握持部を挟持することでピン33ｂに対してチェーンクリップ34を移動させて装着し、一方、ピン33ｂからチェーンクリップ34を取り外す場合は、一方の挟持部をチェーンクリップ34の先端に当接し、他方の挟持部をチェーンクリップ34の先端側の凹部34ａ'に挿入するピン33ｂに当接し、この状態で挟持部を挟持することでピン33ｂに対してチェーンクリップ34を移動させて取り外すことになる。
【０００７】
しかしながら、このペンチを用いてチェーンクリップ34の脱着を行う場合、チェーンクリップ34に対する当接位置とピン33ｂに対する当接位置とでは段差（図２中Ｌ１，Ｌ２）があり、チェーンクリップ34の移動方向に対して傾斜した方向に力を加えて移動させることになり、チェーンクリップ34を移動しにくく、また、ピン33ｂの周面及びチェーンクリップ34の基端は円弧であり且つ潤滑油が付着していてペンチは滑り易く、また、チェーンクリップ34を取り外す際、チェーンクリップ34の先端に当接する挟持部がピン33ｂが凹部34ａ'から完全に外れる前に当該ピン33ｂに当接してしまい、チェーンクリップ34を十分に移動できないなど、チェーンクリップ34が取り外しにくいという問題点があった。
【０００８】
そこで、本出願人は、意匠登録第１４２６７０８号によりチェーンクリップ34を脱着する為の専用のチェーンクリッププライヤーを提案している。
【０００９】
このチェーンクリッププライヤーは、先端側に挟持部、基端側に握持部を有する一対の半体同士を交叉枢着して構成され、一方の挟持部の内面（挟持面）は他方の挟持部の内面（挟持面）に比し巾広に設定されており、巾広の挟持部の内面には、左右側面に開口するＵ字凹条部が形成され、また、巾狭の挟持部の内面には、左右側面に開口するＶ字凹条部が形成されたものである。尚、一方の挟持部の内面には、先端面に開口するＵ字凹条部も形成され、他方の挟持部の内面には、先端面に開口するＶ字凹条部も形成されている。
【００１０】
実際、このチェーンクリッププライヤーを用いて、ローラーチェーン31におけるピン33ｂにチェーンクリップ34を装着する場合、巾広の挟持部の内面をチェーンクリップ34の基端に当接し、巾狭の挟持部の内面をチェーンクリップ34の基端側のＵ字状凹部に挿入するピン33ｂのチェーンクリップ34の開口側の面に当接し、この状態で握持部を挟持することでピン33ｂに対してチェーンクリップ34を移動させると、一対のピン33ｂ夫々の係止溝33ｂ'にチェーンクリップ34の前後の凹部34ａ'夫々が被嵌係止して装着が完了する。
【００１１】
この際、巾広の挟持部の内面に設けられたＵ字凹条部の左右の開口縁はチェーンクリップ34の基端に２点接触し、巾狭の挟持部の内面に設けられたＶ字凹条部に対してピン33ｂは嵌入して２点接触し、よって、ピン33ｂの周面及びチェーンクリップ34の基端が円弧で油が付着してても滑りにくく、チェーンクリップ34を良好に移動させることができる。
【００１２】
次に、ピン33ｂからチェーンクリップ34を取り外す場合、巾広の挟持部の内面をチェーンクリップ34の先割れ先端に当接し、巾狭の挟持部の内面をチェーンクリップ34の先端側の凹部34ａ'に挿入するピン33ｂのチェーンクリップ34の先端側の面に当接し、この状態で挟持部を挟持することでピン33ｂに対してチェーンクリップ34を移動させると、一対のピン33ｂ夫々の係止溝33ｂ'からチェーンクリップ34の前後の凹部34ａ'夫々が係脱して取り外しが完了する。
【００１３】
この際、巾狭の挟持部の内面に設けられたＶ字凹条部に対してピン33ｂは嵌入して２点接触してチェーンクリップ34の移動が行われ、このチェーンクリップ34の先端側の凹部34ａ'から外れたピン33ｂは巾広の挟持部の内面に設けられたＵ字凹条部に対しても嵌入する。
【００１４】
また、前述したチェーンクリップ34を脱着するいずれの場合においても、挟持部の内面には凹条部が形成されているためピン33ｂの周面及びチェーンクリップ34の基端が円弧で油が付着してても滑りにくく、チェーンクリップ34を良好に移動させることができる。
【００１５】
また、前述したチェーンクリップ34を脱着するいずれの場合においても、挟持部の内面は挟持部の内面に比し巾広に設定されており、よって、チェーンクリップ34に対する当接位置とピン33ｂに対する当接位置との段差に対応して、チェーンクリップ34を良好に移動させることができる。
【００１６】
従って、このチェーンクリッププライヤーは、前述したペンチを使用する場合に比し、ピン33ｂに対するチェーンクリップ34の脱着作業が極めて簡易且つ迅速に行えることになる。
【先行技術文献】
【特許文献】
【００１７】
【特許文献１】意匠登録第１４２６７０８号公報
【発明の概要】
【発明が解決しようとする課題】
【００１８】
本発明者は、前述したチェーンクリッププライヤーについて更なる研究・開発を進め、その結果、極めて商品価値の高い画期的なチェーンクリッププライヤーを開発した。
【課題を解決するための手段】
【００１９】
添付図面を参照して本発明の要旨を説明する。
【００２０】
内リンク32と外リンク33とを連結して成るローラーチェーン31における端部継合用のチェーンクリップ34を脱着するためのチェーンクリッププライヤーであって、先端側に挟持部３，４、基端側に握持部５，６を有する一対の半体１，２同士を交叉枢着して構成され、一方の前記挟持部３の内面３Ａは他方の前記挟持部４の内面４Ａに比し巾広に設定されており、巾広の前記挟持部３の内面３Ａには、左右側面に開口する凹条部３ａが設けられ、また、巾狭の前記挟持部４の内面４Ａにも、左右側面に開口する凹条部４ａが設けられており、巾広の前記挟持部３の両側面には隣接するピン33ｂとの干渉を防止する干渉防止凹部７が設けられていることを特徴とするチェーンクリッププライヤーに係るものである。
【００２１】
また、請求項１記載のチェーンクリッププライヤーにおいて、前記干渉防止凹部７は挟持面側の縁部３ｃのみを残して前記挟持部３の両側面の肉を除去した構成であることを特徴とするチェーンクリッププライヤーに係るものである。
【００２２】
また、請求項１，２いずれか１項に記載のチェーンクリッププライヤーにおいて、巾広の挟持部３の内面３Ａの前記凹条部３ａは、側面視Ｕ字状であり、巾狭の挟持部４の内面４Ａの前記凹条部４ａは、側面視Ｖ字状であることを特徴とするチェーンクリッププライヤーに係るものである。
【００２３】
また、請求項１〜３いずれか１項に記載のチェーンクリッププライヤーにおいて、前記巾広の挟持部３の先端は、前記巾狭の挟持部４の先端より突出して構成され、更に、前記巾広の挟持部３の内面３Ａには、先端面に開口する凹条部３ｂが前記左右側面に開口する凹条部３ａに分断されて２本設けられ、また、前記巾狭の挟持部４の内面４Ａにも、先端面に開口する凹条部４ｂが前記左右側面に開口する凹条部４ａに分断されて２本設けられていることを特徴とするチェーンクリッププライヤーに係るものである。
【００２４】
また、請求項４記載のチェーンクリッププライヤーにおいて、前記巾広の挟持部３の分断された２本の前記凹条部３ｂはともに先端面視Ｕ字状であり、前記巾狭の挟持部４の分断された２本の前記凹条部４ｂはともに先端面視Ｖ字状であることを特徴とするチェーンクリッププライヤーに係るものである。
【発明の効果】
【００２５】
本発明は上述のように構成したから、ローラーチェーンにおけるピンに対するチェーンクリップの脱着作業が極めて簡易且つ迅速に行えることになるなど、極めて商品価値の高い画期的なチェーンクリッププライヤーとなる。
【図面の簡単な説明】
【００２６】
【図１】チェーンクリッププライヤーを示す斜視図である。
【図２】チェーンクリッププライヤーの要部を説明する断面図である。
【図３】チェーンクリッププライヤーの要部を説明する断面図である。
【図４】本実施例を示す斜視図である。
【図５】本実施例の要部を示す斜視図である。
【図６】本実施例の要部を示す側面図である。
【図７】本実施例の要部の動作説明図である。
【図８】本実施例の使用状態説明図である。
【図９】本実施例の使用状態説明図である。
【発明を実施するための形態】
【００２７】
好適と考える本発明の実施形態を、図面に基づいて本発明の作用を示して簡単に説明する。
【００２８】
例えば、ローラーチェーン31におけるピン33ｂにチェーンクリップ34を装着する場合、巾広の挟持部３の内面３Ａをチェーンクリップ34の基端に当接し、巾狭の挟持部４の内面４Ａをチェーンクリップ34の基端側の凹部34ａ'に挿入されるピン33ｂのチェーンクリップ34の開口側の面に当接し、この状態で握持部５，６を挟持することでピン33ｂに対してチェーンクリップ34を移動させて装着する。この際、巾広の挟持部３の内面３Ａに設けられた凹条部３ａの開口縁３ａ'はチェーンクリップ34の基端に接触し、よって、ピン33ｂの周面及びチェーンクリップ34の基端が円弧で油が付着してても滑りにくく、チェーンクリップ34を良好に移動させることができる。
【００２９】
一方、ピン33ｂからチェーンクリップ34を取り外す場合、巾広の挟持部３の内面３Ａをチェーンクリップ34の開口端に当接し、巾狭の挟持部４の内面４Ａをチェーンクリップ34の先端側の凹部34ａ'に挿入されるピン33ｂのチェーンクリップ34の先端側の面に当接し、この状態で挟持部５，６を挟持することでピン33ｂに対してチェーンクリップ34を移動させて取り外す。この際、チェーンクリップ34の先端側の凹部34ａ'から外れたピン33ｂは巾広の挟持部３の内面３Ａに設けられた凹条部３ａにて嵌入する。
【００３０】
また、前述したチェーンクリップ34を脱着するいずれの場合においても、挟持部３，４の内面には凹条部３ａ，４ａが形成されているためピン33ｂの周面及びチェーンクリップ34の基端が円弧で油が付着してても滑りにくく、チェーンクリップ34を良好に移動させることができる。
【００３１】
また、本発明は、挟持部３の内面３Ａは挟持部４の内面４Ａに比し巾広に設定されており、よって、チェーンクリップ34に対する当接位置とピン33ｂに対する当接位置との段差に対応して、チェーンクリップ34を良好に移動させることができる。
【００３２】
ところで、ローラーチェーン31は大小様々なものが提案されるが、小型でピン33ｂ同士の間隔が狭い構造の場合、巾広の挟持部３の側面が隣接するピン33ｂに干渉することで良好にチェーンクリップ34を取り外せないことが危惧される。
【００３３】
この点、本発明は、巾広の挟持部３の両側面には隣接するピン33ｂとの干渉を防止する干渉防止凹部７が設けられており、この干渉防止凹部７により、小型のローラーチェーン31であっても、挟持部３の側面が隣接するピン33ｂに干渉することなく、よって、ピン33ｂに対するチェーンクリップ34の脱着作業が極めて簡易且つ迅速に行えることになる。
【実施例】
【００３４】
本発明の具体的な一実施例について図面に基づいて説明する。
【００３５】
本実施例は、一対の半体１，２同士を交叉枢着し、この枢着部の一端側に設けられる一対の握持部５，６の開閉操作により開閉動する一対の挟持部３，４を前記枢着部の他端側に設けたものである。
【００３６】
具体的には、図４に図示したように適宜な金属製の一対の半体１，２を設け、この半体１，２夫々の先端寄りの部位を軸部材10を介して交叉状態で重合枢着し、この枢着部よりも基端側の部位にグリップ11を被覆した一対の握持部５，６を設け、一方、枢着部よりも先端側の部位に内面３Ａ，４Ａ（挟持面）を設けた一対の挟持部３，４を設けている。
【００３７】
この挟持部３，４の内面３Ａ，４Ａは、挟持部３，４を閉じた際、互いに先端側の部位のみが当接して、基端側の部位は当接しない形状に形成されている。
【００３８】
従って、チェーンクリップ34の脱着の際に該チェーンクリップ34の端部に当接させる内面３Ａは先端側が先に且つ力強くチェーンクリップ34に当接されることになる。
【００３９】
また、この挟持部３，４のうち、挟持部３（内面３Ａ）は挟持部４（内面４Ａ）に比し左右方向に巾広に設定されており、内面３Ａ，４Ａ同士を突き合せた際、内面３Ａの左右端部が内面４Ａの左右端部から露出するように構成され、更に、挟持部４の前端面は傾斜面に設けられ、挟持部３（内面３Ａ）は挟持部４（内面４Ａ）に比し縦長に設定されており、内面３Ａ，４Ａ同士を突き合せた際、内面３Ａの前端部が内面４Ａの前端部から突出するように構成されている。
【００４０】
これは、チェーンクリップ34に対する当接位置とピン33ｂに対する当接位置との段差に対応するためであり、この構成からチェーンクリップ34を良好に移動させることができる。
【００４１】
また、挟持部３の内面３Ａには、左右側面に開口する断面Ｕ字状の凹条部３ａ（横Ｕ字凹条部）が設けられ、且つ、先後両端面に開口する断面Ｕ字状の凹条部３ｂ（縦Ｕ字凹条部）が設けられている。この凹条部３ｂは凹条部３ａに分断されている。
【００４２】
また、挟持部３の左右側面３Ｃ，３Ｄには該挟持部３の外面３Ｂに開口する干渉防止凹部７が設けられている。
【００４３】
この干渉防止凹部７は、図４〜７に図示したように干渉防止凹部７は挟持面側の前後左右の縁部３ｃのみを残して挟持部３の左右側面３Ｃ，３Ｄの肉を回転式切削刃で切削除去して形成されており、この左右の干渉防止凹部７の底面７ａ同士の間隔Ｌ３は、挟持部４の左右側面４Ｃ，４Ｄ同士の間隔以下に設定されている（図８参照）。
【００４４】
従って、この干渉防止凹部７により、小型のローラーチェーン31であっても、挟持部３の側面３Ｃ，３Ｄが隣接するピン33ｂ（チェーンクリップ34を装着するピン33ｂの隣のピン33ｂ）に干渉することなく、よって、ピン33ｂに対するチェーンクリップ34の脱着作業が極めて簡易且つ迅速に行えることになる。
【００４５】
つまり、横Ｕ字凹条部３ａ及び横Ｖ字凹条部４ａを用いてチェーンクリップ34を脱着した場合を考慮し、挟持部３の左右側面３Ｃ，３Ｄにおけるピン33ｂの干渉を防止すべく干渉防止凹部７が設けられている。
【００４６】
この点、縦Ｕ字凹条部３ｂ及び後述する縦Ｖ字凹条部４ｂを用いてチェーンクリップ34を脱着した場合を考慮し、挟持部３の外面３Ｂ及び後述する挟持部４の外面４Ｂにおけるピン33ｂの干渉を防止すべく、挟持部３の外面３Ｂと挟持部４の外面４Ｂとは、先細り形状となるように傾斜面に形成されている。尚、挟持部４の外面４Ｂの傾斜面は、横Ｕ字凹条部３ａ及び後述する横Ｖ字凹条部４ａを用いてチェーンクリップ34を脱着する際に、当該挟持部４の外面４Ｂにおけるピン33ｂの干渉を防止することに貢献する。
【００４７】
また、挟持部４の内面４Ａには、左右側面に開口する断面Ｖ字状の凹条部４ａ（横Ｖ字凹条部）が設けられ、且つ、先後両端面に開口する断面Ｖ字状の凹条部４ｂ（縦Ｖ字凹条部）が設けられている。この凹条部４ｂは凹条部４ａに分断されている。
【００４８】
尚、本実施例は、使用場所の広狭などによって横Ｕ字凹条部３ａ及び横Ｖ字凹条部４ａを用いるか、縦Ｕ字凹条部３ｂ及び縦Ｖ字凹条部４ｂを用いるかを決める。
【００４９】
符号12は、握持部５，６の操作に際し、挟持部３，４を開放方向へ付勢する開放付勢体である。
【００５０】
以上の構成から成る本実施例に係るチェーンクリッププライヤーを用いたチェーンクリップ34の脱着について説明する。
【００５１】
先ず、ローラーチェーン31におけるピン33ｂにチェーンクリップ34を装着する場合、巾広の挟持部３の内面３Ａをチェーンクリップ34の基端に当接し、巾狭の挟持部４の内面４Ａをチェーンクリップ34の基端側の凹部34ａ'に挿入するピン33ｂのチェーンクリップ34の開口側の面に当接し、この状態で握持部５，６を挟持することでピン33ｂに対してチェーンクリップ34を移動させると、一対のピン33ｂ夫々の係止溝33ｂ'にチェーンクリップ34の前後の凹部34ａ'夫々が被嵌係止して装着が完了する（図８参照）。
【００５２】
この際、巾広の挟持部３の内面３Ａに設けられた横Ｕ字凹条部３ａの左右の開口縁３ａ'はチェーンクリップ34の基端に２点接触し、巾狭の挟持部４の内面４Ａに設けられた横Ｖ字凹条部４ａに対してピン33ｂは嵌入して２点接触し、よって、ピン33ｂの周面及びチェーンクリップ34の基端が円弧で油が付着してても滑りにくく、チェーンクリップ34を良好に移動させることができる。
【００５３】
次に、ピン33ｂからチェーンクリップ34を取り外す場合、巾広の挟持部３の内面３Ａをチェーンクリップ34の先割れ先端に当接し、巾狭の挟持部４の内面４Ａをチェーンクリップ34の先端側の凹部34ａ'に挿入するピン33ｂのチェーンクリップ34の先端側の面に当接し、この状態で挟持部５，６を挟持することでピン33ｂに対してチェーンクリップ34を移動させると、一対のピン33ｂ夫々の係止溝33ｂ'からチェーンクリップ34の前後の凹部34ａ'夫々が係脱して取り外しが完了する（図９参照）。
【００５４】
この際、巾狭の挟持部４の内面４Ａに設けられた横Ｖ字凹条部４ａに対してピン33ｂは嵌入して２点接触してチェーンクリップ34の移動が行われ、このチェーンクリップ34の先端側の凹部34ａ'から外れたピン33ｂは巾広の挟持部３の内面３Ａに設けられた横Ｕ字凹条部３ａに対しても嵌入する。
【００５５】
また、前述したチェーンクリップ34を脱着するいずれの場合においても、挟持部３の内面３Ａは挟持部４の内面４Ａに比し巾広に設定されており、よって、チェーンクリップ34に対する当接位置とピン33ｂに対する当接位置との段差に対応して、チェーンクリップ34を良好に移動させることができる。
【００５６】
また、本実施例は、巾広の挟持部３の側面には該挟持部３の外面３Ｂに開口して隣接するピン33ｂとの干渉を防止する干渉防止凹部７が設けられており、この干渉防止凹部７により、小型のローラーチェーン31であっても、挟持部３の側面が隣接するピン33ｂに干渉することなく、よって、ピン33ｂに対するチェーンクリップ34の脱着作業が極めて簡易且つ迅速に行えることになる。
【００５７】
本実施例は上述のように構成したから、ローラーチェーン31におけるピン33ｂに対するチェーンクリップ34の脱着作業が極めて簡易且つ迅速に行えることになる。
【００５８】
尚、本発明は、本実施例に限られるものではなく、各構成要件の具体的構成は適宜設計し得るものである。
【符号の説明】
【００５９】
１  半体
２  半体
３  挟持部
３Ａ  内面
３ａ  凹条部
３ｂ  凹条部
４  挟持部
４Ａ  内面
４ａ  凹条部
４ｂ  凹条部
５  握持部
６  握持部
７  干渉防止凹部
31  ローラーチェーン
32  内リンク
33  外リンク
33ｂ  ピン
34  チェーンクリップ
【図１】
0005438160.tif 000002
【図２】
0005438160.tif 000003
【図３】
0005438160.tif 000004
【図４】
0005438160.tif 000005
【図５】
0005438160.tif 000006
【図６】
0005438160.tif 000007
【図７】
0005438160.tif 000008
【図８】
0005438160.tif 000009
【図９】
0005438160.tif 000010